(57)【要約】      （修正有）【課題】内視鏡による複雑な処置・治療を容易にする透明フードを提供する。【解決手段】カッティングした透明フードのキャップ部１に２つの斜孔４，５を作り、一方４を洗浄水の噴出孔とし、。他方５には、内部に電気メスもしくはナイフ８となる金属線を通し、ハンドルにより刃先の長さを可変とする。また、電気メスもしくはナイフ８は、固定部９により、キャップ部１に固定され、キャップ回転部２は、キャップ部１を回転できる構造にし、内視鏡の先端に被せ、２本のチューブを内視鏡本体にテープ固定する。このチューブ２本は内視鏡本体に外付けすることで内視鏡の鉗子孔を使用せずに切開・剥離操作と洗浄が可能となるため、内視鏡本体の鉗子孔はその他の処置・治療器具専用となり、複雑な処置・治療行為と洗浄行為が同時に出来ようになる。【選択図】  図３
2005192675.tif 000002
【特許請求の範囲】
【請求項１】
先端のキャップ部に直接電気メスもしくはナイフを取り付けることで処置・治療を可能にする透明フード
【請求項２】
内視鏡の鉗子孔を使用せずに電気メスもしくはナイフにより処置・治療を可能にする方法
【請求項３】
キャップ部に取り付けられた電気メスもしくはナイフの刃先の長さが可変可能な透明フードの構造
【請求項４】
一部をカッティングした部分フードにおけるキャップ部の回転を可能にする構造
【発明の詳細な説明】
【発明の詳細な説明】
【技術分野】
【０００１】  本発明は、医療用内視鏡の先端に装着する透明フードに直接電気メスもしくはナイフ機能を付加すること、また、付加された電気メスもしくはナイフ機能は内視鏡の鉗子孔を用いないため、鉗子孔には別種類の装置の挿入を可能にすることにより、内視鏡による複雑な処置・洽療を容易にする技術に関するものである。
【背景技術】
【０００２】  主に消化管癌の内視鏡的処置・治療行為をする場合、ＩＴナイフ（ｉｎｓｕｌａｔｉｏｎ−ｔｉｐｐｅｄ  ｄｉａｔｈｅｒｍｉｃ  ｋｎｉｆｅ）やＨｏｏｋナイフ、針状メス等の電気メスもしくはナイフを用いて目的とする病変の周囲を粘膜下層の深さで切開し、続けて切開部の一点から粘膜下層内に潜り込み、再び上記電気メスもしくはナイフを用いて病変を剥離することにより内視鏡的粘膜切除術が実施されている。大型の病変を一括切除し、切除した病変を詳細に観察・診断できることが利点である。
【発明が解決しようとする課題】
【０００３】  しかし、従来の電気メスもしくはナイフでは、接触部が点となるため剥離に要する時間が長く、しかも盲目下で剥離することが多いため高度の内視鏡操作技術が必要なうえ、胃壁を穿孔させる危険度が高かった。実際、従来の電気メスもしくはナイフは、何れもひとつしかない鉗子孔を通して操作するため、他に手足となる処置具が併用できず、粘膜下での剥離操作の維持が困難で盲目的になりやすい。そこで、本発明では内視鏡の先端に取り付けるフード自体に電気メスもしくはナイフ機能を取り付け、取り付けられた同機能を内視鏡の鉗子孔を使用せずに可能にすることで、鉗子孔には把持鉗子等の処置具を挿入し、病変もしくは切除面を把持することにより可視下に安定した視野で切除・切開・剥離等の操作を可能にすることを第１の課題とする。また、取り付けた電気メスもしくはナイフの刃先は、線もしくは面とし、さらに可動性を持たせて、短時間に効率的に切除・切開・剥離等の操作を可能にすることを第２の課題とする。さらに、既に公開した洗浄機能（内視鏡用洗浄機能付き透明フード；特許公開：２００３−２０４９２１）をキャップ部に付加することにより処置・治療中に出血等の内視鏡視野を低下する状況にも備え、把持鉗子等には凝固鉗子としての機能も電気的に併存させ、速やかに止血することも可能にすることを第３の課題とする。加えて、通常キャップ部は、カッティングし、３分の１程度の部分フードにすることが最も使用しやすいと考えられるが、この部分フードのキャップ部を回転可能にすることで、周在性にどの部分に病変が存在しても切除・切開・剥離等の操作を可能にすることを第４の課題とする。
【課題を解決するための手段】
【０００４】  従来の透明フードのキャップ部をカッティングして３分の１程度の周在に加工する。そのフード部に側孔をあけ、そこにキャップ部の外側から電気メスもしくはナイフを内部に通したチューブを接着する。また、電気メスもしくはナイフは、従来の処置具である高周波スネアもしくは絞扼装置を加工したものを基本とする。キャップ部を貫通させた高周波スネアもしくは絞扼装置は、キャップ部の内側で可動性を保ちつつ適切に固定する。さらに、既に公開した洗浄機能（内視鏡用洗浄機能付き透明フード；特許公開：２００３−２０４９２１）をキャップ部に付加する。こうして完成した本発明である内視鏡用フードナイフを従来通り内視鏡の先端に被せ、２本のチューブは内視鏡本体にテープ固定する。チューブ反対側には、一方にはコネクターを取り付け、そこから洗浄水を注入することで、透明フード内ではチューブを介して常に洗浄可能となる。もう一方には、ハンドルを取り付け刃先の長さが調節可能とする。このチューブ２本は内視鏡本体に外付けすることで内視鏡の鉗子孔を使用せずに切開・剥離操作と洗浄が可能となるため、内視鏡本体の鉗子孔はその他の処置・治療器具専用となり、複雑な処置・治療行為と洗浄行為が同時に出来ようになる。
【発明を実施するための最良の形態】
【０００５】  カッティングした透明フードのキャップ部（１）の該当する部分に２つの斜孔（４，５）をあけ、そこにその径にぴったり嵌る内視鏡本体より長い２本のチューブ（６，７）を接着する。キャップ部（１）に開ける斜孔（４）は、コネクター（１１）より注入される洗浄水の噴出孔とする。キャップ部（１）に開ける斜孔（５）には、内部に電気メスもしくはナイフ（８）となる金属線が通る。電気メスもしくはナイフ（８）は、ハンドル本体（１２）、ハンドル把持部（１３）及びハンドル可変部（１４）からなるハンドルにより波先の長さが可変できる。また、電気メスもしくはナイフ（８）は、電気メスもしくはナイフ固定部（９）により、キャップ部（１）に固定される。キャップ部（１）は、キャップ回転部（２）を介して内視鏡装着部（３）に連続し、内視鏡装着部（３）で内視鏡先端部に固定される。キャップ回転部（２）は、可能なかぎりキャップ部（１）を回転できるような構造にする。２本のチューブ（６，７）は、分岐部（１０）にて分岐され、コネクター（１１）とハンドル（１２−１４）に連続する。この完成したフードは従来通り内視鏡の先端に内視鏡装着部（３）を被せ、チューブ（６，７）は本体に５カ所程度でテープ固定し、洗浄水を満たしたシリンジの先端をコネクター（１１）にはめ込む。これで、装置の準備完了とし、実際の処置・治療行為にあたる。これにより、キャップ部内（１）ではチューブ（６）を介して常に洗浄可能となる。キャップ部（１）の内側で固定された電気メスもしくはナイフ（８）は、ハンドル（１２−１４）により鉗子孔を使用せずに切開・剥離が可能となる。内視鏡本体の鉗子孔はその他の処置・治療器具専用となり、複雑な処置・治療行為と洗浄行為が同時に出来る。
【実施例】
【０００６】  消化管癌の内視鏡的処置・治療行為をする場合、本発明である内視鏡用フードナイフを上記のように装着して内視鏡を被験者へ挿入する。特に、内視鏡的粘膜切除術により消化管癌を粘膜下層で剥離する際、鉗子孔に把持鉗子等の処置具を挿入して病変部を把持させ、本発明の内視鏡用フードナイフにより安定した視野で幅広い剥離を実施する。また、術中に出血等の視野を低下させる状況となれば、鉗子孔より止血処置用の器具を挿入すれば、洗浄しながら容易に止血可能である。
【発明の効果】
【０００７】  本発明である内視鏡用フードナイフは、消化管癌の内視鏡的処置・治療行為をする場合、電気メスもしくはナイフ機能がフードに付加されているため、鉗子孔にもう一つ別の処置具を挿入することが可能となり、複雑な処置・治療行為となった。さらに洗浄行為も同時に出来るようにすることで、処置・治療を容易にする環境を作り、しかも、検査時間、処置・治療時間の短縮を可能にする。また、出血等の合併症では出血量の減少にもつながる。
【図面の簡単な説明】
【図１】キャップ部を平面よりみた全体図である。
【図２】キャップ部を側面よりみた全体図である。
【図３】キャップ部を裏面よりみた全体図である。  （Ａ）電気メスもしくはナイフが、フード内に収まった状態である。  （Ｂ）電気メスもしくはナイフが、フード外に展びた状態である。
【図４】内視鏡用フードナイフの全体図である。
【符号の説明】
１  キャップ部
２  キャップ回転部
３  内視鏡装着部
４  洗浄チューブ斜孔部
５  電気メスもしくはナイフ斜孔部
６  洗浄チューブ
７  電気メスもしくはナイフ用チューブ
８  電気メスもしくはナイフ
９  電気メスもしくはナイフ固定部
１０  チューブ分岐部
１１  コネクター
１２  ハンドル本体
１３  ハンドル把持部
１４  ハンドル可変部
【図１】
2005192675.tif 000003
【図２】
2005192675.tif 000004
【図３】
2005192675.tif 000005
【図４】
2005192675.tif 000006